(57)【要約】      （修正有）【課題】ＬＣＤパネルを重ねパッケージングする過程に、ＬＣＤパネルとＬＣＤパネルとの間を隔離するために用いる隔離板において、パッキングを取り外してＬＣＤパネルを使用するときにＬＣＤパネルが吸着されないようにすることができる隔離版を提供する。【解決手段】隔離板３０は、基板３１と、この基板３１の両面に設けてある複数のバンプ３２とよりなる。バンプ３２とこれの隣りのバンプ３２との間に適当な間隔３３を有する。バンプ３２は、正方形であり、且つ上面に凹みを有しない形状である。隔離板３０がＬＣＤパネル上に積層された状態で、空気が前記隔離板３０の間隔３３を流れていき、且つ隔離板３０のバンプ３２が直接にＬＣＤパネルに触れても、隔離板３０に凹みに類似する構造がないので、いわゆる気密状態が形成されず、よって、隔離板３０がＬＣＤパネルを吸着する状況が発生しない。【選択図】図７
0003130301.tif 000002
【実用新案登録請求の範囲】
【請求項１】
基板と複数のバンプとよりなり、前記基板の片面に複数のバンプが設けられており、且つ、各バンプとバンプとの間に適当な間隔を有することを特徴とする隔離板。
【請求項２】
前記基板のもう一面に同様に複数のバンプが設けられていることを特徴とする請求項１に記載の隔離板。
【請求項３】
前記バンプは、幾何形又は何れかの形状であることを特徴とする請求項１又は請求項２に記載の隔離板。
【考案の詳細な説明】
【技術分野】
【０００１】
本考案は、ＬＣＤパネルを積み重ねてパッケージする過程において、ＬＣＤパネルが吸着して張り付く状況となることを防止するために用いる隔離板に関する。
【背景技術】
【０００２】
従来の隔離板１０は、図１と図２に示すように、基板１１にバンプ１２が形成してある構成である。基板１１の片面又は両面に複数のバンプ１２が設けられており、且つ、前記バンプ１２とバンプ１２との間に適当な間隔を有し、バンプ１２毎に凹み１２１が形成してある構成である。
【０００３】
従来の隔離板１０は、もう一つの形式として、図４と図５に示すように、前記基板２１の片面又は両面にいっぱいの凹み２２が設けてある構成である。
【０００４】
図３及び図６に示すように、ＬＣＤパネル４０をＰＰＢＯＸに重ねてパッケージングする過程において、前記隔離板１０、２０をＬＣＤパネル４０とＬＣＤパネル４０との間の仕切りとして使用し、前記隔離板１０、２０がＬＣＤパネル４０に触れたとき、空気が前記隔離板１０の間隔１３を流れていき、前記隔離板１０、２０の凹み１２１、２２内の空気も同様に流れていくが、前記凹み１２１、２２は気密状態を形成して、それにより前記隔離板１０、２０がＬＣＤパネル４０に触れたときに吸着される状況が起こり、使用者がパッケージを取り外してＬＣＤパネル４０を使用するときにもう一枚のＬＣＤパネル４０も共に取り出されてしまう。
【考案の開示】
【考案が解決しようとする課題】
【０００５】
従って、本考案者は、上述の状況を踏まれて、長年の製品設計と開発に関する経験を持って、積極的に研究改良して、本考案を開発して、上述の状況を解決した。
【０００６】
本考案は、上記課題を解決した隔離板を提供することを目的とする。
【課題を解決するための手段】
【０００７】
本考案は、基板と複数のバンプとよりなり、前記基板の片面に複数のバンプが設けられており、且つ、各バンプとバンプとの間に適当な間隔を有することを特徴とする。
【考案の効果】
【０００８】
隔離板がＬＣＤパネルに重なって触れたとき、空気が隔離板の間隔を流れていき、いわゆる気密状態が形成されず、よって、隔離板がＬＣＤパネルを吸着する状況が発生しない。
【考案を実施するための最良の形態】
【０００９】
次に本考案の実施の形態について説明する。
【実施例１】
【００１０】
図７及び図９は本考案の実施例１になる隔離板３０を示す。隔離板３０は、基板３１と、この基板３１の両面に設けてある複数のバンプ３２とよりなる。バンプ３２とこれの隣りのバンプ３２との間に適当な間隔３３を有する。
【００１１】
バンプ３２は、正方形であり、且つ上面に凹みを有しない形状である。
【００１２】
図１０に示すように、ＬＣＤパネル４０をＰＰＢＯＸに重ねパッケージングするとき、前記隔離板３０をＬＣＤパネル４０とＬＣＤパネル４０との間に仕切りとして使用し、ＬＣＤパネル４０間の直接接触を防止し、その中、前記隔離板３０がＬＣＤパネル４０に重なって触れたとき、空気が前記隔離板３０の間隔３３を流れていき、前記隔離板３０のバンプ３２が直接にＬＣＤパネル４０に触れた場合、前記隔離板３０に前記の凹み１２１、２２に類似する構造がないので、いわゆる気密状態が形成されず、よって、隔離板３０がＬＣＤパネル４０を吸着する状況が発生しない。
【００１３】
バンプ３２は幾何形又は何れかの形状に設けられる。
【実施例２】
【００１４】
図８及び図９は本考案の実施例２になる隔離板３０Ａを示す。隔離板３０Ａは、基板３１Ａと、この基板３１Ａの両面に設けてある複数のバンプ３２Ａとよりなる。バンプ３２Ａとこれの隣りのバンプ３２Ａとの間に適当な間隔３３Ａを有する。
【００１５】
バンプ３２Ａは、細長い長方形であり、且つ上面に凹みを有しない形状である。
【００１６】
再度、図１０に示すように、ＬＣＤパネル４０をＰＰＢＯＸに重ねパッケージングするとき、前記隔離板３０ＡをＬＣＤパネル４０とＬＣＤパネル４０との間に仕切りとして使用し、ＬＣＤパネル４０間の直接接触を防止し、その中、前記隔離板３０ＡがＬＣＤパネル４０に重なって触れたとき、空気が前記隔離板３０Ａの間隔３３Ａを流れていき、前記隔離板３０Ａのバンプ３２Ａが直接にＬＣＤパネル４０に触れた場合、前記隔離板３０Ａに前記の凹み１２１、２２に類似する構造がないので、いわゆる気密状態が形成されず、よって、隔離板３０ＡがＬＣＤパネル４０を吸着する状況が発生しない。
【００１７】
バンプ３２Ａは幾何形又は何れかの形状に設けられる。
【００１８】
上述の実施例の記載において、具体的に本考案を説明するべき説明に専用言葉を使われているが、これは本考案の実用新案登録請求の範囲を限定するものではない。また、この技術領域の当業者が本考案の精神及び原則を承知した上で、同じ効果を達する目的で行う変更、修正は実用新案登録請求の範囲の範疇に含まれる。
【図面の簡単な説明】
【００１９】
【図１】従来の隔離板の拡大立体図である。
【図２】従来の隔離板の拡大断面図である。
【図３】従来の隔離板の実施例の拡大断面図である。
【図４】従来のもう一つの隔離板の拡大立体図である。
【図５】従来のもう一つの隔離板の拡大断面図である。
【図６】従来のもう一つの隔離板の実施例の拡大断面図である。
【図７】本考案の実施例１になる隔離板の拡大立体図である。
【図８】本考案の実施例２になる隔離板の拡大立体図である。
【図９】図７及び図８の隔離板の拡大断面図である。
【図１０】図７及び図８の隔離板の使用状態を示す拡大断面図である。
【符号の説明】
【００２０】
１０、２０、３０    隔離板
１１、２１、３１    基板
１２、３２          バンプ
１３、３３          間隔
２２、１２１        凹み
４０                ＬＣＤパネル
【図１】
0003130301.tif 000003
【図２】
0003130301.tif 000004
【図３】
0003130301.tif 000005
【図４】
0003130301.tif 000006
【図５】
0003130301.tif 000007
【図６】
0003130301.tif 000008
【図７】
0003130301.tif 000009
【図８】
0003130301.tif 000010
【図９】
0003130301.tif 000011
【図１０】
0003130301.tif 000012